(57)【要約】【課題】  遊技施設を利用する利用者の利便性を高め、高いセキュリティを実現したデビット決済を行えるようにしたデビット決済システムおよびプリペイドカード購入におけるデビット決済方法を提供する。【解決手段】  非接触型のＩＣカード機能を有するキャリアをデビット端末１０６にセットしてキャッシュカード情報を読み込ませ、該キャッシュカード情報に対する暗証番号と利用指定金額とをキャリアまたはデビット端末１０６を用いて入力する。これらの情報に基づいて情報処理センタ１１０、ＣＡＦＩＳ１１１を介して金融機関１１２でデビット決済を行い、利用指定金額に応じて決済されたプリペイドカードの発券金額分のプリペイドカードを発券する。【選択図】図１
2006139476.tif 000002
【特許請求の範囲】
【請求項１】
登録された情報の交換を行う情報交換機能を有する情報記憶媒体を用いて遊技店におけるプリペイドカード購入のデビット決済を行うデビット決済システムにおいて、
前記情報記憶媒体に登録されたキャッシュカード情報を読み取るデータ読取手段と、
前記データ読取手段によって読み取ったキャッシュカード情報に対する暗証番号およびデビット決済金額とを入力する入力手段と、
前記入力手段で入力されたデビット決済金額と前記データ読取手段で読み取ったキャッシュカード情報に基づき該当金融機関と前記プリペイドカード購入に係るデビット決済を行うデビット決済手段と
を具備することを特徴とするデビット決済システム。
【請求項２】
前記デビット決済手段は、
前記入力手段により前記プリペイドカード購入に係る上限値を越えるデビット決済金額が入力された場合は、該上限値でデビット決済を行う
ことを特徴とする請求項１記載のデビット決済システム。
【請求項３】
前記デビット決済手段は、
前記入力手段により前記プリペイドカード購入に係る上限値を越えるデビット決済金額が入力された場合は、該デビット決済金額でデビット決済を行い、前記上限値を越える分は電子マネーとして前記情報記憶媒体にチャージする
ことを特徴とする請求項１記載のデビット決済システム。
【請求項４】
前記情報記憶媒体は、
携帯電話機であり、
前記入力手段は、
前記暗証番号および前記デビット決済金額を前記携帯電話機の操作キーを用いて入力する
ことを特徴とする請求項１乃至３のいずれかに記載のデビット決済システム。
【請求項５】
前記情報記憶媒体は、
携帯電話機であり、
前記入力手段は、
前記暗証番号を前記携帯電話機の操作キーを用いて入力する
ことを特徴とする請求項１乃至３のいずれかに記載のデビット決済システム。
【請求項６】
前記情報記憶媒体は、
ＩＣキャッシュカードであり、
前記入力手段は、
前記暗証番号および前記デビット決済金額を前記キャッシュカード情報を読み取る装置の操作キーを用いて入力する
ことを特徴とする請求項１乃至３のいずれかに記載のデビット決済システム。
【請求項７】
前記情報記憶媒体は、
携帯電話機であり、
前記携帯電話機に前記デビット決済手段によるデビット決済の履歴を記憶するデビット決済履歴記憶手段と
を更に具備することを特徴とする請求項１乃至５のいずれかに記載のデビット決済システム。
【請求項８】
前記デビット決済手段は、
前記遊技店の台間装置に内蔵されたプリペイドカードに前記デビット決済された利用金額を登録することにより前記プリペイドカード購入を行う
ことを特徴とする請求項１乃至７のいずれかに記載のデビット決済システム。
【請求項９】
前記デビット決済手段は、
電子マネー機能を搭載する前記情報記憶媒体に利用金額をチャージするチャージ手段
を具備し、
前記チャージ手段により前記情報記憶媒体にチャージされた電子マネーを用いて前記プリペイドカード購入を行う
ことを特徴とする請求項１乃至３のいずれかに記載のデビット決済システム。
【請求項１０】
登録された情報の交換を行う情報交換機能を有する情報記憶媒体を用いて遊技店におけるプリペイドカード購入のデビット決済を行うデビット決済方法において、
前記情報記憶媒体に登録されたキャッシュカード情報をデータ読取手段で読み取り、
前記データ読取手段によって読み取ったキャッシュカード情報に対する暗証番号およびデビット決済金額とを入力手段で入力し、
前記入力手段で入力されたデビット決済金額と前記データ読取手段で読み取ったキャッシュカード情報に基づき該当金融機関と前記プリペイドカード購入に係るデビット決済をデビット決済手段で行う
ことを特徴とするデビット決済方法。
【発明の詳細な説明】
【技術分野】
【０００１】
本発明は、デビット決済を実現するデビット決済装置および方法に関し、特に、携帯電話やＩＣキャッシュカードなどの情報記憶媒体によってプリペイドカード購入のデビット決済を行えるようにしたデビット決済システムおよび方法に関する。
【背景技術】
【０００２】
一般に、デビット決済は、銀行や郵便局などの金融機関が発行するキャッシュカードを用いて支払いを行うことができ、デパートやガソリンスタンドや医療機関などで幅広く使用されている決済手段である。
【０００３】
デビット決済を行うには、利用者がキャッシュカード（デビット決済に利用するキャッシュカードを「デビットカード」という）を用いてデビット決済に対応した端末機にキャッシュカード情報を読み取らせ、併設されたボタンを用いてキャッシュカードの暗証番号を入力する。これによって端末機は、金融機関と通信を行い、キャッシュカード情報に含まれる金融機関口座と暗証番号の情報によって利用金額が引き落とされる。
【０００４】
このようにデビットカードを用いたデビット決済によって現金を保持せずとも、取引をスムーズに行うことができるようになる。
【０００５】
遊技店内において、デビットカード等の複数種類のカードを効率的に利用できるようにした従来技術として、特許文献１に開示されたものがある。
【０００６】
この特許文献１では、複数の異なる種類のカード（プリペイドカードおよび会員カード）を共通の挿入口を介して受け入れ、異なる種類のカードの読み取りおよび所要の処理を行えるようにしてスペース的、コスト的な問題を解消し、操作性および遊技者の利便性を向上させている。
【０００７】
特許文献１では、遊技店内の遊技機の利用に現金しか用いることができないため更なる利便性の向上に向けて以下の特許文献２または特許文献３が公開されている。
【０００８】
特許文献２では、デビット端末をプリペイドカードシステムのカード発行機と接続し、デビット端末にデビットカードを受け入れてデビット決済によるカード発行を行うためのデビット決済装置として用いる技術が開示されている。このシステムでは、デビット端末におけるデビット決済に際して入力する暗証番号を覗かれないようにかざし等でのセキュリティを設けている。
【０００９】
また、特許文献３では、遊技機間に設けられる台間処理機毎にデビット端末を配置し、各台間デビット端末では、台間処理機でキャッシュカード挿入及び暗証番号入力を経てデビット決済を行うシステム構成が開示されている。
【特許文献１】特開２００２−３０１２６０
【特許文献２】特開２００３−１４４７３７
【特許文献３】特開２００２−９２２
【発明の開示】
【発明が解決しようとする課題】
【００１０】
しかしながら、特許文献１に示された従来技術においては、プリペイドカードや会員カードなどの磁気記録を中心としたカードの購入の際に現金を用いて取引を行っているため利用者が現金を持ち合わせておらず利用できないという問題やプリペイドカード購入に手間隙がかかるという問題がある。
【００１１】
また、特許文献１乃至３に記載された従来技術では、プリペイドカードや会員カードの性質上、限られた施設での利用となり汎用性、利便性にかける。さらに、磁気カードである場合にはデータの書き換えを行うことができないだけでなく、簡単に複製カードを作成されてしまうという危険性のほか、操作キーが配置された固定的な位置で暗証番号を入力するために暗証番号を他人に盗み見されるという問題もある。
【００１２】
そこで、本発明は、遊技施設を利用する利用者の利便性を高め、高いセキュリティを実現したデビット決済を行えるようにしたデビット決済システムおよび方法を提供することを目的とする。
【課題を解決するための手段】
【００１３】
上記目的を達成するため、請求項１の発明は、登録された情報の交換を行う情報交換機能を有する情報記憶媒体を用いて遊技店におけるプリペイドカード購入のデビット決済を行うデビット決済システムにおいて、前記情報記憶媒体に登録されたキャッシュカード情報を読み取るデータ読取手段と、前記データ読取手段によって読み取ったキャッシュカード情報に対する暗証番号およびデビット決済金額とを入力する入力手段と、前記入力手段で入力されたデビット決済金額と前記データ読取手段で読み取ったキャッシュカード情報に基づき該当金融機関と前記プリペイドカード購入に係るデビット決済を行うデビット決済手段とを具備することを特徴とする。
【００１４】
また、請求項２の発明は、請求項１の発明において、前記デビット決済手段は、前記入力手段により前記プリペイドカード購入に係る上限値を越えるデビット決済金額が入力された場合は、該上限値でデビット決済を行うことを特徴とする。
【００１５】
また、請求項３の発明は、請求項１の発明において、前記デビット決済手段は、前記入力手段により前記プリペイドカード購入に係る上限値を越えるデビット決済金額が入力された場合は、該デビット決済金額でデビット決済を行い、前記上限値を越える分は電子マネーとして前記情報記憶媒体にチャージすることを特徴とする。
【００１６】
また、請求項４の発明は、請求項１乃至３のいずれかの発明において、前記情報記憶媒体は、携帯電話機であり、前記入力手段は、前記暗証番号および前記デビット決済金額を前記携帯電話機の操作キーを用いて入力することを特徴とする。
【００１７】
また、請求項５の発明は、請求項１乃至３のいずれかの発明において、前記情報記憶媒体は、携帯電話機であり、前記入力手段は、前記暗証番号を前記携帯電話機の操作キーを用いて入力することを特徴とする。
【００１８】
また、請求項６の発明は、請求項１乃至３のいずれかの発明において、前記情報記憶媒体は、ＩＣキャッシュカードであり、前記入力手段は、前記暗証番号および前記デビット決済金額を前記キャッシュカード情報を読み取る装置の操作キーを用いて入力することを特徴とする。
【００１９】
また、請求項７の発明は、請求項１乃至５のいずれかの発明において、前記情報記憶媒体は、携帯電話機であり、前記携帯電話機に前記デビット決済手段によるデビット決済の履歴を記憶するデビット決済履歴記憶手段とを更に具備することを特徴とする。
【００２０】
また、請求項８の発明は、請求項１乃至７のいずれかの発明において、前記デビット決済手段は、前記遊技店の台間装置に内蔵されたプリペイドカードに前記デビット決済された利用金額を登録することにより前記プリペイドカード購入を行うことを特徴とする。
【００２１】
また、請求項９の発明は、請求項１乃至３のいずれかの発明において、前記デビット決済手段は、電子マネー機能を搭載する前記情報記憶媒体に利用金額をチャージするチャージ手段を具備し、前記チャージ手段により前記情報記憶媒体にチャージされた電子マネーを用いて前記プリペイドカード購入を行うことを特徴とする。
【００２２】
また、請求項１０の発明は、登録された情報の交換を行う情報交換機能を有する情報記憶媒体を用いて遊技店におけるプリペイドカード購入のデビット決済を行うデビット決済方法において、前記情報記憶媒体に登録されたキャッシュカード情報をデータ読取手段で読み取り、前記データ読取手段によって読み取ったキャッシュカード情報に対する暗証番号およびデビット決済金額とを入力手段で入力し、前記入力手段で入力されたデビット決済金額と前記データ読取手段で読み取ったキャッシュカード情報に基づき該当金融機関と前記プリペイドカード購入に係るデビット決済をデビット決済手段で行うことを特徴とする。
【発明の効果】
【００２３】
本発明によれば、登録された情報を交換する機能である情報交換機能を有する情報記憶媒体（以下、「キャリア」という）をデビット端末にセットすることで、ＩＣに登録されたキャッシュカード情報などの情報を読み込み、利用指定金額と暗証番号に基づいてデビット決済を行えるような構成にしたので、キャッシュカード情報が盗用される危険性を回避することが可能になり、遊技機を利用する利用者の利便性が向上するという効果を奏する。また、発展的に遊技機を提供する企業にとって、遊技機の稼働率が向上することにより利益が拡大するという効果を奏する。
【００２４】
さらに、上記キャリアとして携帯電話機を利用する場合には、携帯電話機のボタンを用いて利用指定金額と暗証番号を入力できるように構成したので、暗証番号の盗み見などによる情報の流出を防ぐことが可能になるという効果を奏する。また、この携帯電話機を用いたデビット決済では、プリペイドカードの最大発券金額を超過した高額デビット決済が行われた場合に最大発券金額からの超過分を電子マネーとしてキャリアにチャージできるようにし、チャージされた電子マネーによる遊技機の利用をも可能にしたので、限られた施設の利用にとどまらず汎用的な電子マネーの利用が可能になり、利用者の利便性が向上するという効果を奏する。
【００２５】
そして、ＩＣカード機能を利用した非接触のキャリアを利用することにより、カードリーダなどに差し込む必要がなくなり、磁気カードとＩＣ機能を併用したカードよりもより高いセキュリティを実現できるという効果を奏する。
【発明を実施するための最良の形態】
【００２６】
以下、本発明に係わるデビット決済システムおよび方法の一実施例を添付図面を参照して詳細に説明する。
【００２７】
なお、本願発明は、パチンコ店などの遊技場に設置されたパチンコ台やスロットマシンに代表されるような遊技機に適用可能であり、以下の説明ではパチンコ店におけるデビット決済によってパチンコ台の利用を行う場合を例に説明する。
【実施例１】
【００２８】
図１は、本発明に係わるデビット決済システムのシステム構成図である。
【００２９】
図１において、このデビット決済システムは、パチンコ店におけるパチンコ台利用のためのデビット決済を行うシステムを示し、デビット決済を行う媒体として、非接触型のＩＣカード機能（Integrated Circuit：集積回路）が搭載された携帯電話機やキャッシュカード情報が記憶されたＩＣキャッシュカードを用いることができる。もちろん、磁気カードなどの接触型のカードを用いたデビット決済は可能である。
【００３０】
図１に示すデビット決済システムは、ターミナルコントローラ（以下、「ＴＣ（Terminal Controller）」という）１０１、パチンコ台１０２、カード処理ユニット１０３、カード販売機１０４、島コントローラ１０５、デビット端末１０６、携帯電話機１０７、ＩＣキャッシュカード１０８、情報処理センタ１１０、ＣＡＦＩＳ（Credit And Finance Information System：クレジットカード通信システム）１１１、金融機関１１２を具備して構成され、図に示すように複数のパチンコ台１０２を１グループとして「島」を形成している。
【００３１】
ＴＣ１０１、パチンコ台１０２、カード処理ユニット１０３、カード販売機１０４、島コントローラ１０５、デビット端末１０６を具備して構成されるパチンコ店は、各デビット端末１０６が公衆回線網１０９を介して情報処理センタ１１０と接続されている。また、情報処理センタ１１０は、クレジットカード会社、金融機関、企業、店などをネットワーク接続することによりリアルタイムでオンライン決済ができるネットワークサービスであるＣＡＦＩＳ１１１を介してデビット決済のための口座が開設された所定の金融機関とデビット決済通信を行う。
【００３２】
これにより、利用者は、パチンコ店に設置されたデビット端末１０６におけるデビット決済によってカード販売機１０４によるプリペイドカード販売が行われ、パチンコ台の利用が可能になる。
【００３３】
次に、パチンコ店の構成を説明する。
【００３４】
ＴＣ１０１は、パチンコ店の事務所などに設置されたコンピュータによって実現され、パチンコ店全体を統括して管理する装置であり、会員の管理やプリペイドカード販売による入金登録、さらにはプリペイドカードの残額管理などを行う。
【００３５】
パチンコ台１０２は、パチンコ店が提供する遊技機の一例であり、パチンコ玉を打ち出すことによって遊ぶことができる。一例としてパチンコ台を示すが、パチンコ台に限られず、コインを用いたスロットマシンなども含まれる。
【００３６】
カード処理ユニット１０３は、デビット端末１０６を用いたデビット決済によって決済された発券金額により購入されたプリペイドカードによってパチンコ台１０２で利用するパチンコ玉の貸し出しを行う装置である。
【００３７】
カード販売機１０４は、利用者により指定されたプリペイドカードの発券金額をデビット端末１０６に通知すると共に、該通知した発券金額に基づきデビット端末１０６から情報処理センタ１１０に送出されるデビット決済依頼に対するデビット決済の可否の通知をデビット端末１０６を通じて受信し、デビット決済が行われた場合には、指定された発券金額に対するプリペイドカードを発券する。
【００３８】
なお、販売されるプリペイドカードは１００円を１度数とする度数表示により、指定金額を利用可能としてもよい。
【００３９】
島コントローラ１０５は、パチンコ台１０２やカード処理ユニット１０３とＴＣ１０１などの上位機との情報をやり取りする装置である。
【００４０】
デビット端末１０６は、携帯電話機１０７やＩＣキャッシュカード１０８などに記憶されたキャッシュカード情報を読み取り、情報処理センター１１０と通信を行うことにより指定された利用金額分をデビット決済する。
【００４１】
また、デビット決済され、プリペイドカードの発券が行われた場合には、利用明細を示すレシートの発行も行う。
【００４２】
このような構成により、ＩＣ機能が搭載された携帯電話機１０７やＩＣキャッシュカード１０８を用いてデビット決済を行うことができ、プリペイドカードの発券を受けてパチンコ台の利用を行うことができる。
【００４３】
図２は、本発明のデビット決済システムにおけるデビット端末１０６、カード販売機１０４の装置構成を示す図である。
【００４４】
デビット端末１０６は、ＩＣキャッシュカードまたはキャッシュカード情報が記憶された携帯電話機に基づいてプリペイドカードの発券金額やデビット設備を利用する利用料のデビット決済を行うことができ、表示部２０１、ボタン群２０２、ＩＣカードリーダ２０３、レシート発行口２０４を含んで構成される。
【００４５】
表示部２０１は、利用者に対する指示内容を表示する。例えば、キャッシュカード機能を利用するためにボタン群２０２を用いて入力した暗証番号をアスタリスクで表示したり、上記利用料などを利用者に対して表示したりするために用いる。
【００４６】
ボタン群２０２は、デビット端末に指示を出したり、暗証番号の入力を行ったりするボタンを有する外部操作入力部である。例えば、数字「０〜９」、取消ボタン、確認ボタンなどがあり、デビット端末１０６に対して外部操作入力を行うことができる。
【００４７】
ＩＣカードリーダ２０３は、ＩＣキャッシュカードや携帯電話機のＩＣに記憶されたキャッシュカード情報を読み取ることができる。読み取ったキャッシュカード情報を用いてデビット端末１０６は、情報処理センター１１０を介して各金融機関１１２とデビット決済をオンラインで行うことができる。
【００４８】
レシート発行口２０４は、デビット決済処理の利用明細を示すレシートの発行を行う。ＩＣキャッシュカードや携帯電話機をＩＣカードリーダ２０３にセットすることによりキャッシュカード情報を読み取らせ、ボタン群２０２を用いて暗証番号を入力し、情報処理センター１１２との通信によりデビット決済を行う。決済された場合に、カード販売機１０４でプリペイドカードの発券を可能にし、利用者が所望の発券金額が示されたプリペイドカードのボタンを押下すると利用明細を示すレシートが発券される。
【００４９】
利用者はレシートを確認することによってデビット決済の利用明細を確認することができ、金融機関から引き落とされた金額を把握することができる。
【００５０】
そして、カード販売機１０２は、パチンコ台を利用するためのプリペイドカードを発券する装置であり、表示部２０８、金額選択ボタン２０９、プリペイドカード発券口２１０、取消ボタン２１１を含んで構成されている。
【００５１】
表示部２０８は、デビット端末１０６のＩＣカードリーダ２０３によって読み込んだキャッシュカード情報に対してボタン群２０２で入力された暗証番号が入力された場合に発券するプリペイドカードの金額を選択する旨のメッセージを表示するなど利用者に対してメッセージを通知する。
【００５２】
金額選択ボタン２０９は、発券するプリペイドカードの金額を選択するボタンである。例えば、１０００円、２０００円、３０００円、５０００円、１００００円のボタンがあり、それぞれの表示金額分の玉貸しが可能なプリペイドカードが発券される。
【００５３】
このとき金額選択ボタン２０９によって指定されたプリペイドカードの発券金額に基づいてデビット決済が行われる。
【００５４】
プリペイドカード発券口２１０は、金額選択ボタン２０９で選択したプリペイドカードの発券金額に対するプリペイドカードを発券する。発券されたプリペイドカードを図１に示すカード処理ユニット１０３に挿入することによって選択した金額分の玉貸しが可能となる。
【００５５】
取消ボタン２１１は、ＩＣキャッシュカードや携帯電話機を用いてキャッシュカード情報の読み込みを行ったのちにプリペイドカードの発券を中止する場合に押下するボタンである。
【００５６】
このような構成により、ＩＣキャッシュカードまたは携帯電話機から読み込んだキャッシュカード情報、ボタン群２０２を用いた入力した暗証番号、プリペイドカードの発券金額に基づいて情報処理センタ１１０を介して金融機関１１２でデビット決済を行うことができ、遊技機に利用が可能になる。
【００５７】
図３は、デビット端末とカード販売機の詳細を示すブロック図である。
【００５８】
図３は、図１ないし図２に示すデビット端末とカード販売機の詳細を示しており、デビット端末１０６は、表示部２０１、ボタン群２０２、ＩＣカードリーダ２０３、レシート発行口２０４、デビット制御部３０１、記憶部３０３、内部操作入力部３０４、第１通信Ｉ／Ｆ部３０８、第２通信Ｉ／Ｆ部３０９を具備して構成され、カード販売機１０４は、表示部２０８、金額選択ボタン２０９、プリペイドカード発券口２１０、発券制御部３１０、第１通信Ｉ／Ｆ部３１４、第２通信Ｉ／Ｆ部３１５を具備して構成される。
【００５９】
まず、デビット端末１０６について説明する。
【００６０】
デビット制御部３０１は、デビット端末１０６におけるデビット決済を制御する。記憶部３０３に記憶されたデビット決済プログラムを実行し、情報処理センタ１１０を介して金融機関でデビット決済を行う。さらに第１通信Ｉ／Ｆ部３０８、第２通信Ｉ／Ｆ部３０９を介して他の装置との通信が可能である。
【００６１】
ＩＣカードリーダ２０３は、ＩＣキャッシュカードや携帯電話機に記憶されたキャッシュカード情報を読み取り、読み取った情報をデビット制御部３０１に通知する。なお、キャッシュカード情報とは、銀行番号、支店番号、口座番号が含まれ、デビット決済における識別情報として利用される。
【００６２】
記憶部３０３は、揮発性メモリ、不揮発性メモリなどを示し、デビット決済を行うためのデビット決済プログラムやデータを記憶している。
【００６３】
内部操作入力部３０４は、係員モードスイッチを備えて構成したものである。従業員がメンテナンスのために使用する内部スイッチなどを示す。
【００６４】
ボタン群２０２は、「０〜９」の数字ボタンや確認ボタン、取消ボタンなど利用者がデビット端末に対して指示するボタンやスイッチを示す。
【００６５】
表示部２０１は、液晶ディスプレイなどにより構成され、デビット制御部３０１から送出されてきた画面データを表示する。例えば、暗証番号やデビット決済金額の入力を指示したり、デビット決済の処理内容を表示したりする。
【００６６】
レシート発行部２０４は、デビット決済が行われた際にデビット決済の明細をレシートに印字する。また、印字されたレシートが利用者によって抜き取られたことをデビット制御部３０１に通知する。このとき、デビット制御部３０１からカード販売機の発券制御部３１０に通知し、発券制御部３１０がプリペイドカード発券口２１０からプリペイドカードを発券する。
【００６７】
第１通信Ｉ／Ｆ部３０８、第２通信Ｉ／Ｆ部３０９は、それぞれカード販売機１０４の第２通信Ｉ／Ｆ部３１５、情報処理センター１１０と接続されており、通信を実現するインターフェースである。全ての通信データはこれらのインターフェース部を介してデータの送受信が行われる。
【００６８】
以上のような構成により、デビット端末１０６は情報処理センタ１１０、ＣＡＦＩＳ１１１を介して金融機関でデビット決済を行うことができる。
【００６９】
次に、カード販売機１０４について説明する。
【００７０】
発券制御部３１０は、カード販売機１０４の主制御部であり、発券制御部３１０に接続された金額選択ボタン２０９、ＩＣカードリーダ２１０、表示部２０８、第１通信Ｉ／Ｆ部３１４、第２通信Ｉ／Ｆ部３１５を制御する。
【００７１】
金額選択ボタン２０９は、利用者による図２の金額選択ボタン２０９のほか、取消ボタン２１１などの押下をも検出し、押下されたボタンを発券制御部３１０に通知することができる。
【００７２】
プリペイドカード発券口２１０は、デビット端末１０６によりデビット決済が行われ、金額選択ボタン２０９で検出した発券金額のプリペイドカードを発券する処理を行う。プリペイドカードの発券には、レシート発行口２０４で印字されたレシートの抜き取りを検出した後に発券するような構成にすることによってレシートの抜き忘れを防止することができる。
【００７３】
表示部２０８は、表示部２０１と同様、液晶ディスプレイなどにより構成され、発券制御部３１０から送出されてきた画面データを表示する。例えば、プリペイドカードの発券金額を示す金額選択ボタン２０９の選択を指示する旨の画面を表示する。
【００７４】
第１通信Ｉ／Ｆ部３１４、第２通信Ｉ／Ｆ部３１５は、それぞれ島コントローラ１０５、デビット端末１０６と接続されており、ぞれぞれの装置と通信を実現するインターフェースである。
【００７５】
以上のような構成により、カード販売機１０４は、デビット端末１０６によるデビット決済された発券金額に応じてプリペイドカードの発券を行うことができる。
【００７６】
図４は、デビット端末の表示部あるいはカード販売機の表示部に表示される画面の内容を示す図である。
【００７７】
図４において、図４（ａ）は、ＩＣキャッシュカードまたは携帯電話機をＩＣリーダにセットすることによりキャッシュカード情報が読み込まれた場合にキャッシュカード情報を利用する暗証番号の入力を促す画面であり、図４（ｂ）は、暗証番号が入力された後にプリペイドカード発券にかかる料金の表示を行う画面であり、図４（ｃ）は、読み込んだキャッシュカード情報に対する暗証番号が入力され、発券するプリペイドカードの発券金額を選択指示する画面である。
【００７８】
図４（ａ）は、デビット端末の表示部に表示される画面を示し、暗証番号ボックス４０１に４桁の暗証番号が図２のボタン群２０２から入力された状態を示している。この状態から図２に示す確認ボタンを押下するとカード販売機に対して暗証番号の入力完了を示す通知が送出される。
【００７９】
図４（ｂ）は、カード発券金額４０２、利用料４０３が示されており、暗証番号が入力されると発券するプリペイドカードの発券金額とその発券金額に対してデビット設備を使用する利用料が示される。例えば、１０００円分のプリペイドカードの購入にデビット設備を利用する場合には利用料として５０円かかることを示している。
【００８０】
図４（ｃ）は、図２のカード販売機１０４における表示部２０８の下部に設置された金額選択ボタン２０９のうち、発券するプリペイドカードの発券金額を選択指示する内容の画面を表示する。
【００８１】
図５は、デビット決済のレシートの一例を示す図である。
【００８２】
図５は、図１〜図３に示す構成によってデビット決済を行った際に発行されるレシートの一例を示す図である。
【００８３】
レシートの題名として「デビットカード口座引落確認書」が示され、その表示項目として取引日時５０１、発行銀行５０２、端末番号５０３、伝票番号５０４、処理通番５０５、承認番号５０６、取引内容５０７、購入金額５０８、利用料５０９、合計５１０が示されている。
【００８４】
プリペイドカードを発行するにあたって現金の引き落とし（取引）を行った銀行（金融機関）を発行銀行５０２に示し、その取引を行った日時を取引日時５０１に示している。すなわち発券したプリペイドカードの金額分が発行銀行５０２に示された金融機関の利用者の口座から引き落とされることになる。端末番号５０３は、情報処理センターが自動的に割り振るデビット端末の端末固有のＩＤであり、その情報処理センターとの取引ごとに付与される番号を伝票番号５０４に示す。
【００８５】
さらに図１に示すＣＡＦＩＳが割り振る処理の番号を処理通番５０５に示し、ＣＡＦＩＳの通信により取引を行う金融機関や情報処理センターが取引ごとに割り振る番号を承認番号５０６に示す。
【００８６】
また、取引の内容を取引内容５０７に示し、図５に示す例では「売上」であることが示されている。さらに、プリペイドカードの発券金額である購入金額５０８とデビット設備の利用金額を示す利用料５０９に示している。そして、その購入金額５０８と利用料５０９との合計金額を合計５１０に示している。これによって利用者はいつ何処でいくら分のデビット決済を行ったかを確認することができる。
【００８７】
図６は、本発明におけるデビット決済システムの処理の流れを示すフローチャートである。
【００８８】
図６において、ＩＣキャッシュカードまたはＩＣ機能が搭載された携帯電話機をデビット端末のＩＣカードリーダにセットすると処理が開始され、デビット端末のデビット表示部に暗証番号の入力を促す画面を表示し（Ｓ６０１）、利用者による暗証番号入力を受け付ける（Ｓ６０２）。続いて発行するプリペイドカードの金額とその金額に対する利用料とを表示した画面を表示する（Ｓ６０３）。また、表示する動作と同時にデビット端末からカード販売機に対して暗証番号入力完了通知を送付し（Ｓ６０４）、発券するプリペイドカードの金額選択ボタンの押下を指示する画面をカード販売機の表示部に表示する（Ｓ６０５）。
【００８９】
利用者によって発券するプリペイドカードの金額が選択されると、押下された金額をデビット端末に対して通知し（Ｓ６０６）、デビット端末は通知されたプリペイドカードの発券金額、暗証番号、キャッシュカード情報に基づいてデビット決済の処理依頼を情報処理センタに通知する（Ｓ６０７）。情報処理センタから受けたデビット決済の結果をカード販売機に通知し（Ｓ６０８）、デビット決済できたか判断し（Ｓ６０９）、暗証番号の不一致、預金金額不足などの理由によりデビット決済できなかった場合（Ｓ６０９でＮＯ）には、カード販売機の表示部にデビット決済できなかった旨の画面を表示（Ｓ６１０）して処理を終了する。
【００９０】
それに対して、デビット決済できた場合（Ｓ６０９でＹＥＳ）には、ＴＣにプリペイドカードの入金登録を行い（Ｓ６１１）、ＴＣからカード販売機に対してプリペイドカード入金登録完了通知を送信する（Ｓ６１２）。カード販売機では、プリペイドカード入金登録完了通知を受信すると選択された金額のプリペイドカードの発券準備を行い、準備が完了したことを示す発券準備完了通知をデビット端末に送出する（Ｓ６１３）。デビット端末はこれを受けて発券するプリペイドカード金額に対するレシートを発行し（Ｓ６１４）、レシートが利用者によって抜取されたことを確認してプリペイドカードを発券する（Ｓ６１５）。
【００９１】
このような処理により、ＩＣキャッシュカードまたはＩＣ機能が搭載された携帯電話機でプリペイドカードを購入することができるため利用者にとって利便性が向上し、遊技施設の稼働率も向上することによる利益の拡大につながる。
【００９２】
以上に示すような構成により、キャリアを用いたプリペイドカードの購入が可能になり利便性が向上し、さらには磁気カードを用いた利用に比べてキャッシュカード情報の盗用が軽減し、セキュリティが向上する。
【００９３】
なお、予めＩＣキャッシュカードや携帯電話機に正規の暗証番号を記憶しておき、入力された暗証番号と比較するような構成にしてもよい。
【実施例２】
【００９４】
図７は、本発明のデビット決済システムにおける他の利用構成を示す図である。
【００９５】
図７に示す利用構成や利用方法は、図１〜図３に示す構成と類似しているため、異なる点を中心に説明する。
【００９６】
図７は、ＩＣ機能が搭載された携帯電話機を用いてデビット決済を行う方法を示している。
【００９７】
携帯電話機１０７のＩＣに記憶されたキャッシュカード情報を利用するために携帯電話機１０７で携帯電話機用アプリケーションを起動し、そのアプリケーションを用いてキャッシュカード情報の利用の暗証番号登録を行う。登録された暗証番号とキャッシュカード情報が記憶された携帯電話機をデビット端末のＩＣカードリーダ２０３にかざすことによって情報を読み込ませてデビット決済処理を行う。
【００９８】
図２に示す構成と異なる点として、図２では、キャッシュカード情報が記憶された携帯電話機１０７をデビット端末のＩＣカードリーダにセットすることによってキャッシュカード情報を読み取り、デビット端末１０６のボタン群２０２を用いて暗証番号を入力することで情報処理センタ１１０を介して各金融機関１１２でデビット決済を行うような構成になっている。それに対して、図７では、キャッシュカード情報が記憶された携帯電話機１０７で暗証番号を入力し、デビット決済処理に利用できるようにした携帯電話機用アプリケーションを保持している。この携帯電話機１０７をデビット端末にかざすことによりキャッシュカード情報と暗証番号が読み込まれる。
【００９９】
キャッシュカード情報と暗証番号が読み込まれた後のプリペイドカード発行までの処理は図２に示す処理と同様である。
【０１００】
以上に示すような処理により、利用者は暗証番号の入力を携帯電話機１０７を用いて行うことができるため、デビット端末のボタン群を用いて他人から見えないようにして行うことができるため、固定的に設けられるデビット決済の処理依頼を安全に行うことができる。
【０１０１】
なお、より高いセキュリティを確保するため、暗証番号を入力したときから一定の時間が経過してもデビット端末１０６によって暗証番号などが読み取られない場合には登録された暗証番号を消去し、必要であれば再度入力しなおすような機能を携帯電話機用アプリケーションに持たせてもよい。
【０１０２】
図８は、図７の例において、携帯電話機を用いた暗証番号の入力を促す画面を示す図である。
【０１０３】
図８において、図８（ａ）は、キャッシュカード情報の利用にあたって暗証番号を入力する画面を示し、図８（ｂ）は、暗証番号の登録が行われたことを利用者に対して示す画面である。
【０１０４】
図８（ａ）は、キャッシュカード情報を利用するための携帯電話機用のアプリケーションを起動すると表示される画面であり、暗証番号入力ボックス８０１、確定ボタン８０２を含んだ構成である。
【０１０５】
暗証番号入力ボックス８０１に携帯電話機のボタンを用いて暗証番号を入力し、十字キーまたはポイント移動ボタンなどを用いてフォーカスを暗証番号入力ボックス８０１から確定ボタン８０２に移動し、実行すると暗証番号が携帯電話機の一時記憶領域に登録されて図８（ｂ）に示す画面に遷移する。
【０１０６】
携帯電話機をデビット端末にかざすとＩＣに記憶されたキャッシュカード情報と一時記憶領域に登録された暗証番号とを読み出す。
【０１０７】
図８（ｂ）は、図８（ａ）の画面を用いて暗証番号を入力したのちに表示される画面であり、利用者に対して登録が完了し、読み込み処理を行うことができることを通知している画面である。
【０１０８】
このような構成により、携帯電話機を用いて暗証番号を入力することができるので暗証番号の入力における秘匿性を高めることができ、セキュリティが向上する。このとき発行されるレシートは図５に示すレシートの例と同様である。
【０１０９】
なお、図７に示す実施例では、携帯電話機用のアプリケーションを用いてキャッシュカード情報の暗証番号を入力してデビット決済を行っているが、以下の図９、図１０、図１１に示す例のように携帯電話機の画面で暗証番号のほかにプリペイドカードの発券金額をも指定するような構成にしてもよい。
【０１１０】
図９は、本発明のデビット決済システムにおいて携帯電話機に発券金額と暗証番号を入力することによりデビット決済を行えるように構成した構成図である。
【０１１１】
図９では、携帯電話機用のアプリケーションを用いてキャッシュカード情報の暗証番号とプリペイドカードの発券金額を指定した後に情報処理センタ１１０を介して各金融機関１１２でデビット決済を行う。すなわち、図７に示す構成での処理のようにカード販売機１０４でプリペイドカードの発券金額を選択するのではなく、発券するプリペイドカードの発券金額をも暗証番号の入力と同様に携帯電話機用のアプリケーションで指定する。
【０１１２】
図７と異なる点を説明する。異なる点として、デビット端末１０６のボタン群２０２に確認ボタン９０１と取消ボタン９０２が設置されており、携帯電話機で入力した暗証番号とプリペイドカードの発券金額をＩＣカードリーダ２０３で読み込み、デビット端末１０６の表示部２０１に発券金額と利用料とを示す画面を表示する。
【０１１３】
承認しない場合や処理を取り消す場合には、取消ボタン９０２を押下することにより処理が中止され、デビット決済が行われない。
【０１１４】
承認する場合には、確認ボタン９０１を押下することでデビット決済要求を行う。デビット決済が行われると、デビット端末１０６からカード販売機１０４に対して決済された決済金額と決済完了通知とを送出する。これを受けたカード販売機は、ＴＣ１０１に対してプリペイドカードの入金登録を行い、ＴＣ１０１からの入金登録完了通知に基づいてカード販売機１０４でプリペイドカードの販売準備を行ってデビット端末１０６に発券準備完了通知を送出する。
【０１１５】
発券準備完了を受けたデビット端末１０６は、デビット決済の利用明細を示すレシートをレシート発行口２０４から発行する。
【０１１６】
この場合、携帯電話機で利用金額の指定を行っているため、プリペイドカード発券金額の上限金額（以下、「最大発券金額」という）の範囲内で所定のプリペイドカードが発券される。そして、プリペイドカードがプリペイドカード発券口２１０から発券されるとカード販売機１０４の表示部２０８にプリペイドカードの発券を知らせる画面が表示される。
【０１１７】
これにより、利用者が指定した発券金額でプリペイドカードを発券できる。
【０１１８】
図１０は、図９の構成において携帯電話機に表示される画面の例を示す図である。
【０１１９】
図１０において、図１０（ａ）は、デビット決済のための暗証番号とプリペイドカードの発券金額とを入力する画面であり、図１０（ｂ）は、暗証番号と発券金額の登録完了を通知する画面である。
【０１２０】
携帯電話機でデビット決済を行うための携帯電話機用のアプリケーションを起動すると図１０（ａ）に示す暗証番号と発券金額とを入力する画面が表示され、それぞれに入力が完了すると図１０（ｂ）に示す登録完了を示す画面が表示される。利用者は、図１０（ｂ）のような登録完了を示す画面を確認した後にデビット端末１０６のＩＣカードリーダ２０３に携帯電話機をかざす。これによって、キャッシュカード情報、暗証番号及び発券金額がデビット端末へ送られ、デビット端末から情報処理センタに対してデビット決済の処理依頼が送出され、デビット決済が正常に行われた場合にプリペイドカードが発券される。
【０１２１】
図１１は、利用料と利用可能金額を表示する画面を示す図である。
【０１２２】
図１１は、図１０に示すように暗証番号と決済金額とを登録した携帯電話機をデビット端末のＩＣカードリーダにかざした場合にデビット端末１０６の表示部２０１に表示される画面である。
【０１２３】
図１１において、図１１（ａ）は、プリペイドカードの発券金額として指定された利用指定金額１１０１とデビット設備を利用する利用料１１０２とを示す画面であり、図１１（ｂ）は、プリペイドカードの発券金額として指定された利用指定金額１１０３とその利用指定金額１１０３に対して取引可能な金額を示す取引可能金額１１０４とデビット設備を利用する利用料１１０５とを示す画面である。
【０１２４】
図１１（ａ）は、携帯電話機で指定されたプリペイドカードの発券金額が最大発券金額以下である場合に表示される画面である。例えば、プリペイドカードの最大発券金額が「１００００円」である場合、１００００円以下の発券金額が指定された場合に表示される。
【０１２５】
また、それに対して図１１（ｂ）は、携帯電話機で指定された発券金額が最大発券金額を超過している場合に表示される画面である。例えば、プリペイドカードの最大発券金額が「１００００円」である場合に、１００００円を超過した金額が指定された場合に表示される。
【０１２６】
利用指定金額１１０３は、携帯電話機で指定された利用金額であってこの利用指定金額が最大発券金額以下であるか否かにより表示される画面が異なる。
【０１２７】
例えば、利用指定金額として「２００００円」が指定され、一度に発券できる最大発券金額が「１００００円」であって利用料が「２５０円」である場合には、利用指定金額１１０３に「２００００円」、取引可能金額１１０４に「１００００円」、利用料に「２５０円」がそれぞれ表示される。
【０１２８】
上記、図１１（ａ）、図１１（ｂ）の画面で確認ボタンを押下すると、情報処理センタを介して各金融機関でデビット決済処理が行われ、プリペイドカードの発券が行われる。なお、利用しない場合には取消ボタンを押下する。
【実施例３】
【０１２９】
上記実施例１または実施例２ではカード販売機または携帯電話機を用いて利用金額を指定し、最大発券金額を考慮して指定された発券金額に応じたプリペイドカードの発券を行うようにしているが、本実施例では、電子マネーの取引に対応した携帯電話機またはＩＣキャッシュカードを利用する場合に最大発券金額を超過した超過分を電子マネーとして携帯電話機またはＩＣキャッシュカードにチャージする例を示す。
【０１３０】
図１２は、本発明のデビット決済システムを適用して構成した実施例３におけるシステム構成図である。
【０１３１】
図１２は、図１に示すシステム構成図と類似しているため異なっている箇所を中心に説明する。
【０１３２】
図１２では、新たに電子マネーセンタ１２０１を接続した構成となっている。図１２に示すデビット端末１０６では、電子マネー機能を有するＩＣキャッシュカードや携帯電話機などのキャリアによってデビット決済が行われ、デビット決済金額とプリペイドカード発券金額との差額を電子マネーとしてキャリアにチャージすることができる。
【０１３３】
電子マネーセンタ１２０１は、デビット端末１０６で行われた電子マネーのチャージ情報を一括して管理する管理センターである。デビット端末１０６は、ある一定の時間に行われた電子マネーの取引状況を示す電子マネーチャージ情報を電子マネーセンター１２０１に対してバッチ処理する。
【０１３４】
これにより電子マネーセンタ１２０１では電子マネーの取引情報を確認することができる。
【０１３５】
図１３は、電子マネー機能が搭載されたキャリアでデビット決済を行う構成をデビット端末とカード販売機を中心に説明した図である。
【０１３６】
図１３には、ＩＣカード機能が搭載された携帯電話機やＩＣキャッシュカードなどのキャリアをセットするとデビット決済の処理を実行するデビット端末１０６、デビット端末１０６からのプリペイドカード発券通知に基づいてプリペイドカード発券処理を行うカード販売機１０４、カード販売機１０４で販売されたプリペイドカードの入金登録など管理を行うＴＣ１０１、デビット決済の仲介処理を行う情報処理センター１１０、情報処理センター１１０とＣＡＦＩＳ１１１を介して接続され、電子マネーの取引状況を管理する電子マネーセンタ１２０１、デビット決済の取引をデビット端末１０６と行う金融機関１１２を具備して構成される。
【０１３７】
デビット端末１０６は、表示部２０１、ボタン群２０２、設置部１３０１、レシート発行部１３０８を含んで構成されている。
【０１３８】
表示部２０１は、利用者への通知を行うユーザインターフェースであり、設置部１３０１に携帯電話機やＩＣキャッシュカードがセットされるとプリペイドカードの発券金額とキャッシュカードの暗証番号入力を促す図１４（ａ）に示すような画面が表示される。さらに利用金額、暗証番号の入力が行われると利用可能金額や利用料が示された図１４（ｂ）、図１４（ｃ）に示すような画面が表示される。
【０１３９】
ボタン群２０２は、利用金額や暗証番号の入力などに用いられるボタンである。また確認ボタン９０１、取消ボタン９０２を含み、表示部２０１に表示された利用可能金額や利用料が示された画面を確認する際に確認ボタン９０１を押下し、反対に取消ボタン９０２を押下することにより処理を取り消すことができる。
【０１４０】
設置部１３０１は、携帯電話機やＩＣキャッシュカードなどに記憶されたキャッシュカード情報を読み取るためにキャリアを設置する（セットする）。これにより、プリペイドカードの発券金額として指定された金額と取引が可能な金額との差額を電子マネーとしてキャリアにチャージすることができる。
【０１４１】
レシート発行部２０４は、カード販売機１０４からプリペイドカードの発券準備通知が送出されてきた場合に明細を示すレシートの発行を行う。
【０１４２】
カード販売機１０４は、表示部２０８、利用金額指定ボタン２０９、プリペイドカード発券口２１０、取消ボタン２１１を含んで構成されている。
【０１４３】
表示部２０８は、プリペイドカードの発券を行うためのユーザインターフェースであり、図１６に示すような発券するプリペイドカードの発券金額を選択することができる画面を表示する。
【０１４４】
利用金額指定ボタン２０９は、プリペイドカードの発券金額を選択するボタンであり、ここで指定された発券金額のプリペイドカードが発券される。このときデビット端末１０６で入力した発券金額と発券したプリペイドカードの発券金額とに差額が生じる場合には、デビット端末１０６の設置部１３０１に設置されたキャリアに電子マネーとしてチャージする。
【０１４５】
例えば、デビット端末１０６で入力した利用金額が「２００００円」であり、利用金額指定ボタン２０９で指定されたプリペイドカードの発券金額が「１００００円」である場合には、その差額として「１００００円」を電子マネーとしてキャリアにチャージする。
【０１４６】
プリペイドカード発券口２１０は、利用金額指定ボタン２０９で指定された発券金額のプリペイドカードを発券する。
【０１４７】
さらに、デビット端末１０６で電子マネーのチャージ情報を電子マネーセンタ１２０１に一括送信する。このとき情報の一括送信処理であるバッチ処理は、予め設定した時間を経過した後にそれまでに処理を行った電子マネーのチャージ情報をまとめて送信する。
【０１４８】
このような構成により、利用者が指定した発券金額が一度に利用できる最大発券金額を超過した場合に、その差額を電子マネーとしてチャージすることができる。これにより、最大発券金額を超過して発券金額が指定された場合に再度、金額の指定し直しが不要となるので操作性や利用性が向上する。
【０１４９】
なお、情報処理センタがデビット決済を行う際の情報処理センタ手数料として指定された金額に上下限が設けられており、この上限を超えた上記利用料の設定を行うことができない。例えば、情報処理センタ手数料の上限値として「２００円」、下限値として「８０円」が指定されている場合に遊技場がデビット決済の設備を利用するための利用料は最大「２００円」となる。利用料が最大「２００円」であることから、利用者としては高額の決済をまとめて行うほど「得」をする。
【０１５０】
図１４は、デビット端末の表示部に表示される画面を示す図である。
【０１５１】
図１４において、図１４（ａ）は、プリペイドカードの発券金額と暗証番号の入力を指示する内容の画面を示し、図１４（ｂ）は、電子マネー機能を持つキャリアにおける利用可能金額と利用料の表示を行う画面であり、図１４（ｃ）は、電子マネー機能を持たないキャリアにおける利用可能金額と利用料の表示を行う画面である。
【０１５２】
図１４（ａ）は、利用金額ボックス１４０１、暗証番号ボックス１４０２を含んで構成されており、電子マネー機能が利用できる携帯電話機、ＩＣキャッシュカードを図１３に示すデビット端末１０６の設置部１３０１に設置した際に、デビット端末１０６の表示部２０１に表示される画面である。
【０１５３】
利用金額ボックス１４０１でデビット決済を行う金額を指定し、暗証番号ボックス１４０２にデビット決済を行うキャッシュカード情報の暗証番号を指定する。
【０１５４】
図１４（ｂ）は、プリペイドカードの発券金額として入力された利用指定金額１４０３、デビット設備を利用する利用料である利用料１４０４が示されている。例えば、利用金額ボックス１４０１に「２００００円」が指定された場合、利用指定金額１４０３には「２００００円」と表示され、利用料１４０２に「２５０円」と表示される。すなわち、デビット決済によって利用者の金融機関の口座から引き落とされる金額は、「２０２５０円」であることを示している。
【０１５５】
図１４（ｃ）は、プリペイドカードの発券金額として入力された利用指定金額１４０５、利用指定金額１４０５として指定された金額のうち取引が可能な金額を示す利用可能金額１４０６、利用可能金額１４０６で指定された利用金額に対してデビット設備を利用する利用料である利用料１４０７を含んで構成されている。
【０１５６】
例えば、利用指定金額１４０５として「２００００円」が指定されており、発券するプリペイドカードの最大発券金額が「１００００円」である場合には、利用可能金額１４０６として「１００００円」が表示され、利用料１４０７として「１５０円」が表示される。
【０１５７】
さらに、利用指定金額１４０５として「５０００円」が指定されており、最大利用金額が「１００００円」である場合には利用可能金額１４０６として「５０００円」が表示され、利用料１４０７として「９０円」が表示される。
【０１５８】
以上に示すように、利用指定金額１４０５に示された金額が予め設定されているプリペイドカード発券の最大発券金額以下である場合に、利用可能金額１４０６として利用指定金額１４０５に指定された金額が表示される。それに対して、最大発券金額を超過した場合には、利用可能金額１４０６として最大発券金額が表示されることになる。
【０１５９】
図１５は、電子マネー機能を持つキャリアでデビット決済と電子マネー利用を行った際のレシート１５００の一例を示す図である。
【０１６０】
図１５は、デビット決済と電子マネー利用を行った際のレシート１５００であり、デビット決済によって金融機関から引き落とされた金額と発券されたプリペイドカードの発券金額との差額を電子マネーとしてチャージした場合などに発行される。
【０１６１】
レシート１５００は、デビットカード口座引落確認書１５０１、電子マネーご利用明細書１５０２から構成され、デビット口座引落確認書１５０１は、図５に示すデビット口座引落確認書と同じ構成である。図５に示すデビット口座引落確認書の購入金額５０８として「１００００円」が示され、利用料５０９として「１５０円」が示されているが、図１５に示すデビット口座引落確認書の購入金額には「２００００円」、利用料には「２５０円」がそれぞれ示されている。
【０１６２】
電子マネーご利用明細書１５０２には、端末番号１５０３、決済番号１５０４、キャリアＩＤ１５０５、取引前残高１５０６、取引内容１５０７、チャージ金額１５０８、利用料１５０９、取引金額（計）１５１０、取引後残高１５１１が示されている。
【０１６３】
端末番号１５０３は、電子マネーセンターがユニークに割り振った固体番号であり、電子マネーにチャージを行ったデビット端末ごとに割り振られている。決済番号１５０４は、デビット端末が取引ごとに付与する取引番号である。
【０１６４】
キャリアＩＤ１５０５は、ＩＣキャッシュカードや携帯電話機などのキャリアの固体番号を示しており、取引前残高１５０６は、取引を行う前に電子マネーとしてチャージされていた金額を示す。ここに示す例では、「１２０００円」がチャージされていたことを示している。取引内容１５０７は、取引が行われた内容が示され、電子マネーのチャージが行われたことを示している。
【０１６５】
チャージ金額１５０８は、電子マネーとしてチャージされたチャージ金額を示している。利用料１５０９は、電子マネー設備を利用する利用料を示している。取引金額（計）１５１０は、チャージ金額１５０８と利用料１５０９を加算した金額であり、今回の取引である「チャージ」の合計金額を示している。すなわち、取引金額（計）１５１０に示された金額が電子マネーとして引き落とされる金額である。
【０１６６】
取引後残高１５１１は、取引前残高１５０６と取引金額（計）１５１０との差額を示し、電子マネーとしての残金である。
【０１６７】
図１６は、電子マネーとしてチャージが可能なキャリアを用いてデビット決済を行った際にカード販売機の画面に表示される内容を示す図である。
【０１６８】
図１６は、デビット端末１０６からデビット処理要求に基づいて情報処理センタ１１０を介して各金融機関１１２でデビット決済が行われ、カード販売機１０４がデビット端末１０６からデビット決済可能であることを示す決済完了通知とその決済金額の通知を受けた場合に発券するプリペイドカードの金額を利用者に選択するよう促す画面である。
【０１６９】
デビット決済された金額がカード販売機１０４で販売されるプリペイドカードの最大発券金額以下である場合には、決済された金額に応じたプリペイドカードの発券金額ボタンを押下することができる。例えば、デビット決済された金額が「１００００円」であり、最大発券金額が「１００００円」である場合には、「１００００円」までのプリペイドカードの発券が可能である。
【０１７０】
それに対して、決済された金額が最大発券金額を超過する場合には、最大発券金額からの超過分をキャリアに電子マネーとしてチャージする。
【０１７１】
また、デビット決済された金額と発券したプリペイドカードの発券金額とに差額が生じる場合には、その差額分を電子マネーとしてキャリアにチャージする。
【０１７２】
図１７は、プリペイドカード発券後、デビット端末の画面に表示される内容を示す図である。
【０１７３】
図１７において、図１７（ａ）は、電子マネーとしてチャージが完了してデビット端末の設置部に設置したキャリアの取り外しが可能となったことを示しており、取引前残高１７０１、チャージ金額１７０２、取引後残高１７０３を含んで表示されている。
【０１７４】
取引前残高１７０１は、電子マネーをチャージする以前の電子マネー残高を示している。例えば、図１５に示すようなレシートが発行される前の時点では、電子マネーとして「１２０００円」がチャージされている状態を示している。
【０１７５】
チャージ金額１７０２は、決済された金額が最大発券金額を超過した場合や決済された金額と発券したプリペイドカードの発券金額とに差額が生じた場合などに、電子マネーとしてチャージする金額を示している。ここでは、図１４（ａ）に示す利用指定金額１４０１と最大発券金額との差額である「１００００円」を電子マネーとしてチャージする例を示している。
【０１７６】
取引後残高１７０３は、取引前残高１７０１とチャージ金額１７０２とを加算した合計金額を示している。電子マネーとしてチャージされた金額が「２２０００円」であることを示している。
【０１７７】
図１７（ｂ）は、電子マネー機能を有さないキャリアを用いてデビット決済処理を行った際に表示される画面であり、決済の明細を示すレシートが発行されたことを示している。
【０１７８】
図１８は、図１２及び図１３に示す構成における処理の流れを示すフローチャートである。
【０１７９】
図１８において、ＩＣ機能付きの携帯電話機やＩＣキャッシュカードなどのキャリアがデビット端末にセットされると処理が開始され、デビット端末の画面に利用指定金額とキャッシュカード情報の暗証番号を入力する画面を表示し（Ｓ１８０１）、デビット端末に設けられたボタン群を用いて発券金額と暗証番号が入力されると、セットされたキャリアが電子マネー機能を有しているか判断し（Ｓ１８０２）、電子マネー機能を有している場合（Ｓ１８０２でＹＥＳ）には、図１４（ｂ）に示すような入力された利用指定金額１４０３とその利用指定金額１４０３ごとに定められた利用料１４０４とを示す画面を表示する（Ｓ１８０３）。それに対して、電子マネー機能を有さない場合（Ｓ１８０２でＮＯ）には、図１４（ｃ）に示された利用指定金額１４０５と取引可能な取引金額１４０６と取引金額１４０６に対する利用料１４０７とを表示した画面を示す（Ｓ１８０４）。
【０１８０】
まず、電子マネー機能を有するキャリアがセットされた場合（Ｓ１８０２でＹＥＳ）の処理を以下に示す。
【０１８１】
図１４（ｂ）に示すような画面が表示され、利用者によりボタンが押下されると押下されたボタンを判断し（Ｓ１８０５）、確認ボタンである場合（Ｓ１８０５でＹＥＳ）には、入力された発券金額に対してデビット決済処理を行う（Ｓ１８０６）。また、取消ボタンが押下された場合（Ｓ１８０５でＮＯ）には、今までの処理内容を取消し、処理を終了する。
【０１８２】
デビット決済処理が行うことができたか判断し（Ｓ１８０７）、デビット決済が行うことができなかった場合（Ｓ１８０７でＮＯ）には、処理を終了する。このとき再度、発券金額を指定できるようにしてもよい。
【０１８３】
デビット決済が行うことができた場合（Ｓ１８０７でＹＥＳ）には、デビット端末からカード販売機に対して決済完了通知と決済金額を送出する（Ｓ１８０８）。通知されたカード販売機によって発券するプリペイドカードの金額ボタンを選択する画面を表示し（Ｓ１８０９）、金額ボタンが利用者によって押下されるとＴＣに対してプリペイドカードの入金登録を通知する（Ｓ１８１０）。ＴＣは通知を受けて入金登録処理を実行する（Ｓ１８１１）。ＴＣは入金登録処理が終了すると入金登録完了通知をカード販売機に対して送出するので、カード販売機はこれを受けてデビット端末に対して、プリペイドカードの発券準備を通知する（Ｓ１８１２）。
【０１８４】
発券準備されたプリペイドカードの発券金額とデビット決済を行った金額とに差額が生じるか判断し（Ｓ１８１３）、差額が生じる場合（Ｓ１８１３でＹＥＳ）には、その差額を電子マネーとしてチャージし（Ｓ１８１４）、図１７（ａ）に示すような電子マネーのチャージ完了とレシートの発行を示す画面を表示する（Ｓ１８１５）。それに対して、差額が生じない場合（Ｓ１８１３）には、図１７（ｂ）に示すようなレシートの発行画面を表示する（Ｓ１８１６）。
【０１８５】
このように電子マネー機能を有するキャリアの場合には差額をチャージすることができる。
【０１８６】
次に、電子マネー機能を有さないキャリアがセットされた場合（Ｓ１８０２でＮＯ）の処理を以下に示す。
【０１８７】
図１４（ｃ）に示すような画面が表示され、利用者によりボタンが押下されると押下されたボタンを判断し（Ｓ１８１７）、取消ボタンが押下された場合（Ｓ１８１７でＮＯ）には処理を終了する。また、確認ボタンが押下された場合（Ｓ１８１７）には、取引可能な金額でデビット決済処理を行う（Ｓ１８１８）。決済が行われると図１７（ｂ）に示すようなレシートの発行画面を表示する（Ｓ１８１９）。
【０１８８】
以上に示すようなレシートの発行を示す画面（図１７（ａ）、図１７（ｂ））が表示されると、レシートが発行され（Ｓ１８２０）、発行されたレシートが利用者によって抜き取られるとデビット端末からカード販売機に対してレシートが抜き取られたことを示すレシート抜取通知と電子マネーにチャージを行った場合にはチャージを完了したことを示すチャージ完了通知とを送出する（Ｓ１８２１）。これを受けたカード販売機はプリペイドカードを発券する（Ｓ１８２２）。
【０１８９】
さらに、デビット端末によって処理を行った電子マネーのチャージ情報を電子マネーセンターに一括送信する。例えば、利用量の少ない夜間に夜間バッチ処理を行う。
【０１９０】
このような処理により、最大発券金額を超えた高額デビット決済を行うことができ、最大発券金額を超えた差額については電子マネーとしてキャリアにチャージすることが可能となる。さらに、利用料が最大「２００円」であることから、利用者としては高額の決済をまとめて行うほど「得」をすることができる。
【０１９１】
以上、実施例３では、ＩＣカード機能付きの携帯電話機やＩＣキャッシュカードなどのキャリアをデビット端末の設置部にセットし、デビット端末の画面に表示される内容に基づいて発券金額と暗証番号を入力するような構成にしているが、電子マネーに対応したアプリケーションを携帯電話機で起動し、図１９に示すような画面を表示して発券金額と暗証番号を登録した後にデビット端末の設置部にセットするような構成にしてもよい。
【０１９２】
図１９は、電子マネーに対応した携帯電話機用のデビット決済アプリケーションを起動したときの画面を示す図である。
【０１９３】
図１９は、利用金額ボックス１９０１、暗証番号ボックス１９０２、確定ボタン１９０３を具備して構成される。
【０１９４】
利用金額ボックス１９０１は、遊技施設（パチンコ台）を利用するためのプリペイドカードの発券金額を入力するボックスである。
【０１９５】
暗証番号ボックス１９０２は、デビット決済を行うキャッシュカード情報の暗証番号を入力するボックスである。
【０１９６】
それぞれ入力したデータは、確定ボタン１９０３を押下することにより携帯電話機に登録することができる。
【０１９７】
発券金額と暗証番号とを登録した携帯電話機をデビット端末の設置部にセットするとこれらの情報がデビット端末に読み込まれ、情報処理センタを介して金融機関でデビット決済を行うことができる。
【０１９８】
このように携帯電話機でアプリケーションを起動して発券金額と暗証番号を入力することで、デビット端末での入力が不要になり、暗証番号の盗み見などを防止することができ、セキュリティを確保することができる。また、利用者の操作性が向上することによって利便性が向上する。
【０１９９】
以上のように、携帯電話機にチャージした電子マネーの利用方法を図２０のシーケンス図に示す。
【０２００】
図２０において、電子マネー機能を有する携帯電話機がデビット端末の設置部にセット（Ｓ２００１）すると、デビット端末の画面に電子マネーとしてチャージされた金額を示す画面（図２１参照）を表示する（Ｓ２００２）。デビット端末からカード販売機に対してチャージされた電子マネーの金額が通知され（Ｓ２００３）、カード販売機によって電子マネーとして利用可能な金額が表示される（Ｓ２００４）。利用者が発券するプリペイドカードの金額ボタンを押下する（Ｓ２００５）と、押下した金額がデビット端末に通知される（Ｓ２００６）。
【０２０１】
通知されたデビット端末は、設置部にセットされている携帯電話機の電子マネー残高を更新する。例えば、携帯電話機がセットされた時点の残高が１５０００円であり、発行するプリペイドカードの利用金額が１００００円である場合、電子マネーの残高は差し引き５０００円から利用料を引いた額が取引後の電子マネーの残高であることを示す。
【０２０２】
更新が行われるとカード販売機に対して更新完了通知が送出され（Ｓ２００８）、さらにＴＣに対してカード入金登録通知を送出する（Ｓ２００９）。ＴＣで入金登録を行い（Ｓ２０１０）、カード販売機に対して入金登録完了通知を送出し（Ｓ２０１１）、カード販売機はデビット端末に対して発券準備完了通知を送出する（Ｓ２０１２）。デビット端末では、取引の明細を示すレシートを発行し（Ｓ２０１３）、利用者によってレシートが抜き取られたときにカード販売機に対してレシート抜取完了通知を送出する（Ｓ２０１４）。レシート抜取完了通知を受けたカード販売機は、選択された利用金額のプリペイドカードを発券する（Ｓ２０１５）。
【０２０３】
さらに、デビット端末では、予め設定された時間を経過した後（例えば弊店処理時等）に電子マネーのチャージ情報を一括して電子マネーセンターに送信し（Ｓ２０１６）、電子マネーセンターでは、送信されてきたチャージ情報を管理する。
【０２０４】
図２１は、図２０に示した電子マネーの利用の際にデビット端末に表示される電子マネーの残高を表示する画面を示す図である。
【０２０５】
図２１において、残高ボックス２１０１にデビット端末の設置部にセットした時点の電子マネーの残高を表示している。
【実施例４】
【０２０６】
上記、実施例１〜３は、デビット端末とカード販売機など「島」の端に設けられた島端機器が情報処理センター、ＣＡＦＩＳを介して金融機関と通信を行うような構成を示しているが、本実施例では、パチンコ台毎に設置された台間機がデビット決済を行い、さらに、必要である場合にはプリペイドカードの発券も行うような構成を示す。
【０２０７】
図２２は、台間機によるデビット決済システムのシステム構成を示す図である。
【０２０８】
図２２に示すデビット決済システムは、ＴＣ１０１、パチンコ台１０２、台間機２２０１、デビット決済管理装置２２０２、島コントローラ１０５、情報処理センタ１１０、ＣＡＦＩＳ１１１、金融機関１１２、電子マネーセンタ１２０１を具備して構成される。
【０２０９】
ＴＣ１０１、パチンコ台１０２、台間機２２０１、デビット決済管理装置２２０２、島コントローラ１０５から構成されるパチンコ店のデビット決済管理装置２２０２が情報処理センタ１１０と公衆回線網１０９で接続されており、情報処理センタ１１０はデビット決済のネットワークサービスを提供するＣＡＦＩＳ１１１を介して金融機関１１２、電子マネーセンタ１２０１と接続されている。
【０２１０】
ＴＣ１０１は、パチンコ店の事務所などに設置されたコンピュータによって実現され、パチンコ店全体を統括して管理する装置であり、会員の管理や台間機２２０１によるデビット決済の売上管理、電子マネー利用状況の管理を行う。
【０２１１】
パチンコ台１０２は、パチンコを行う遊技機である。
【０２１２】
台間機２２０１は、パチンコ台１０２に併設された幅４〜５ｃｍ程度の形状を成す装置であり、携帯電話機を用いて指定された発券金額、キャッシュカード情報、暗証番号などを読み取り、金融機関とデビット決済を行って決済されたプリペイドカードの発券金額に応じてパチンコ台１０２に玉貸しを行うことができる。例えば、１００００円のデビット決済が行われた場合には、パチンコ台１０２に１００００円分の玉貸しを行うことができる。
【０２１３】
また、内蔵されたプリペイドカードにデビット決済金額に応じた発券金額を登録することにより、プリペイドカードの発券をも行うことができる。
【０２１４】
さらに、電子マネー機能が搭載されたキャリアを用いた場合には、デビット決済金額とプリペイドカードの発券金額との差額を電子マネーとしてチャージすることもできる。
【０２１５】
デビット決済管理装置２２０２は、各台間機２２０１で読み取った情報（発券金額、キャッシュカード情報、暗証番号）や台間機２２０１を特定するための台間機情報に基づいて情報管理センタ１１０とのデビット決済を制御する。つまり、複数の台間機２２０１から同時にデビット決済の要求が発生した場合であっても並行して行うことができる。
【０２１６】
さらに、電子マネーを用いたデビット決済については、そのデビット決済で発生した電子マネーの利用情報を一括して電子マネーセンタ１２０１に送信する。
【０２１７】
島コントローラ１０５は、各「島」のパチンコ台１０２の稼動状況などを制御する装置である。
【０２１８】
情報管理センター１１０は、デビット決済管理装置２２０２と公衆回線網１０９で接続されており、デビット決済の決済代行、仲介を行う。
【０２１９】
ＣＡＦＩＳ１１１は、クレジットカード会社、金融機関、企業、店などをネットワーク接続することによりリアルタイムでオンライン決済ができるネットワークサービスである。
【０２２０】
金融機関１１２は、デビット決済を行う口座が開設された銀行や郵便局などを示し、台間機２２０１から送られてきた情報に基づいてデビット決済を行う。
【０２２１】
電子マネーセンター２２０９は、電子マネーの利用状態を管理する。電子マネーセンター１２０１へは予め設定した時間を経た後にデビット決済管理装置２２０２によって管理された電子マネー情報を一括して受け付ける。
【０２２２】
このような構成によって、パチンコ台１０２を利用する際に利用者はプリペイドカードの購入のために離席する必要がなくなり、利便性の向上につながる。また、発展的に各パチンコ台の稼働率が向上し、利益の増加につながる。
【０２２３】
図２３は、台間機の詳細な構造を示す図である。
【０２２４】
図２３は、図２２に示す台間機２２０１の構成を示しており、ＩＣカードリーダ２３０１、デビット決済制御部２３０２、ＴＣ制御部２３０３、プリペイドカード保管部２３０４、プリペイドカード制御部２３０５、プリペイドカード発券部２３０６を具備して構成される。
【０２２５】
ＩＣカードリーダ２３０１は、ＩＣ機能を有する携帯電話機からキャッシュカード情報、発券金額、暗証番号などを読み取る。ＩＣカードリーダ２３０１は、携帯電話機をセットするだけでこれらの情報を読み取ることができ、台間機から適時、情報を記憶することができる。
【０２２６】
デビット決済制御部２３０２は、ＩＣカードリーダ２３０１で読み取った情報をもとに図２２に示すデビット決済管理装置２２０２などと通信を実現することにより、デビット決済の制御を行う。デビット決済が行えた場合には決済完了通知をデビット決済管理装置２２０２から受信し、ＴＣ制御部２３０３に通知する。
【０２２７】
ＴＣ制御部２３０３は、デビット決済制御部２３０２からの通知により、プリペイドカード制御部２３０５がデビット決済された発券金額をプリペイドカード保管部２３０４に保管されたいずれかのプリペイドカードに記憶したプリペイドカードのＩＤとその発券金額とを図２２に示すＴＣ１０１に対して送出する。
【０２２８】
また、ＴＣ２２０４により入金登録が行われ、入金登録完了通知を受け取るとプリペイドカード制御部２３０５に送出したＩＤを持つプリペイドカードに発券金額を登録するようにプリペイドカード制御部２３０５に通知する。
【０２２９】
プリペイドカード保管部２３０４は、デビット決済が行われた発券金額が関連付けられるプリペイドカードを保管する。保管されたプリペイドカードは、再利用可能であって、利用者がデビット決済を行った玉貸し金額全てを利用した後に、再度デビット決済を行った場合には、同一のプリペイドカードに玉貸し金額を登録することができる。
【０２３０】
プリペイドカード制御部２３０５は、使用されていないプリペイドカードから１つを選択し、その選択されたプリペイドカードが持つＩＤをＴＣ制御部２３０３に通知する。ＴＣ制御部２３０３からの玉貸し金額の登録を行う通知を受けると、そのＩＤを持つプリペイドカードに玉貸し金額を登録する。
【０２３１】
プリペイドカード発券部２３０６は、プリペイドカード保管部２３０４に保管されたプリペイドカードを発券する。例えば、デビット決済したプリペイドカードの発券金額をプリペイドカードに記憶し、利用者に玉貸しした玉貸し金額をそのプリペイドカードの発券金額から差し引いた金額のプリペイドカードを発券する。また、パチンコ台の移動などの際に移動前にデビット決済した発券金額の残額をプリペイドカードに記憶し、そのプリペイドカードを発券する。
【０２３２】
このように発券金額に対する残額を記憶したプリペイドカードを発券することによって、そのプリペイドカードの残額を移動先の台間機で利用することができる。
【０２３３】
表示部２３０７は、利用者に対する指示を行う画面を表示する。表示された画面の内容に基づいて利用者は操作を行う。
【０２３４】
このような構成により、台間機２２０１によってデビット決済を行うことができ、また、利用金額を登録したプリペイドカードの発券を行うことができる。
【０２３５】
図２４は、台間機とパチンコ台のイメージを示す図である。
【０２３６】
図２４は、利用者一人一人使用するパチンコ台１０２のイメージを示しており、パチンコ台１０２の左隣に台間機２２０１が設置されている。台間機２２０１は、プリペイドカードに利用金額が登録されるとパチンコ台１０２に対して玉の貸し出しが可能になったことを通知する。
【０２３７】
パチンコ台１０２で玉貸ボタンを押下するとＴＣ１０１に利用金額が登録されたプリペイドカードのＩＤと貸し出した玉に対する利用金額を通知し、パチンコ台１０２に玉を放出する。これによって利用者はパチンコを行うことができる。
【０２３８】
図２５は、台間機を用いたデビット決済の処理の流れを示すシーケンス図である。
【０２３９】
図２５は、図２２に示すシステム構成において、デビット決済を行ってパチンコを行うまでの処理の流れを示している。
【０２４０】
図２５において、アプリケーションを用いてパチンコの利用金額とデビット決済を行う暗証番号の入力を行った携帯電話機を台間機２２０１にセットし（Ｓ２５０１）、入力した利用金額と暗証番号のほかに予め記憶されているキャッシュカード情報をＩＣカードリーダで読み取る（Ｓ２５０２）。読み取った情報をデビット決済管理装置２２０２に通知し（Ｓ２５０３）、デビット決済管理装置２２０２によって前記利用金額を決済金額とするデビット決済の制御が行われる（Ｓ２５０４）。
【０２４１】
デビット決済管理装置２２０２は情報処理センタ１１０に対してデビット決済の依頼を示す決済依頼通知を送出し（Ｓ２５０５）、これを受けて情報処理センタ１１０はデビット決済処理を実行して（Ｓ２５０６）、その決済の結果を通知する（Ｓ２５０７）。さらにデビット決済管理装置２２０２は台間機２２０１に対して決済が完了したことを示す決済完了通知を送出する（Ｓ２５０８）。決済された発券金額を登録するプリペイドカードを選択し（Ｓ２５０９）、選択したプリペイドカードのＩＤと決済された発券金額とをＴＣ１０１に対して通知する（Ｓ２５１０）。ＴＣ１０１は、入金登録を行い（Ｓ２５１１）、入金完了通知を台間機２２０２に送出する（Ｓ２５１２）。
【０２４２】
台間機２２０２では、発券金額の履歴を携帯電話機に登録し（Ｓ２５１３）、上記選択されたプリペイドカードに発券金額を登録する（Ｓ２５１４）。これによりパチンコ台１０２の利用が可能になったため利用可能通知をパチンコ台１０２に対して送出する（Ｓ２５１５）。
【０２４３】
パチンコ台１０２では、利用可能通知を受けると利用可能となるので玉貸ボタンを押下可能する。利用者により玉貸ボタンが押下されると（Ｓ２５１６）、ボタンが押下されたことを示すボタン押下通知（Ｓ２５１７）が送出される。台間機２２０１は、ＴＣ１０１の選択したプリペイドカードのＩＤに対する残高を更新する（Ｓ２５１８）。例えば、玉貸ボタンを一度押下すると、１０００円分の玉が貸し出される場合には、ＴＣ１０１の残高は発券金額から１０００円の玉貸し金額を差し引いた金額となる。更新されると台間機２２０１は、パチンコ台に対して玉貸指示通知を送出し（Ｓ２５１９）、玉貸しが行われる（Ｓ２５２０）。
【０２４４】
パチンコ台１０１の利用を終了する際には、返却ボタンを押下する（Ｓ２５２１）と、返却ボタンが押下されたことを通知する返却ボタン押下通知が台間機２２０１に送出される（Ｓ２５２２）。台間機２２０１は、利用した玉貸し金額を差し引いた残額を登録したプリペイドカードを返却する（Ｓ２５２３）。
【０２４５】
また、上記実施例３では、デビット決済時にプリペイドカードを発行しているが、本実施例では、取引が行われた発券金額分を台間機自体のメモリに記憶し、玉貸しを行う際には、記憶したメモリの金額を減算するような構成にしてもよい。この場合、遊技客が終了（清算）あるいは台移動を行いたいときに返却ボタンを操作するとメモリの残額分の価値が関連付けられたプリペイドカードを発券する。
【０２４６】
なお、上記実施例４では、台間機２２０１に保管されているプリペイドカードに発券金額を登録するような構成にしているが、携帯電話機をかざしたり、セットしたりすることによって携帯電話機に発券金額を登録するような構成にしてもよい。
【０２４７】
このような構成にすることで、発券金額に残高が生じてもプリペイドカードを発行する必要が無くなり、処理の効率化と利便性が向上する。
【０２４８】
また、図２２でデビット決済管理装置２２０２を設けているがデビット決済管理装置２２０２を設けることなく、直接、台間機２２０１が個々にデビット決済処理を行うような構成にしてもよい。
【実施例５】
【０２４９】
本実施例では、電子マネーを用いたデビット決済を可能とし、電子マネーをチャージする端末とプリペイドカードを発券する端末とが異なる場合の例を示す。
【０２５０】
図２６は、電子マネーを用いた遊技施設の利用におけるデビット決済のシステム構成図である。
【０２５１】
図２６では、電子マネーとしてチャージするデビット端末１０６、デビット端末１０６でチャージした電子マネーを用いてカード販売を行う電子マネー対応カード販売機２６００、プリペイドカードの発行における入金登録や電子マネーの利用状況を管理する管理ＴＣ１０１、デビット決済を行う金融機関や決済代行や仲介を行う情報処理センター１１０、電子マネーを一括して管理する電子マネー管理センター１２０１を具備して構成され、電子マネーとしてチャージできる装置と電子マネーを用いてプリペイドカードの発券を行う装置とが別体である構成を示している。
【０２５２】
デビット端末１０４は、表示部２０１、ボタン群２０２、ＩＣカードリーダ２０３、レシート発行口２０４を含んで構成されている。
【０２５３】
表示部２０１は、ＩＣ機能を有する携帯電話機をＩＣカードリーダ２０３にセットすると、デビット決済を開始する画面が表示される。画面にデビット決済を行う発券金額と暗証番号の入力フィールドが表示され、ボタン群２０２を用いて入力するとデビット決済後に電子マネーのチャージが行われた旨の画面が表示される。
【０２５４】
ボタン群２０２は、デビット決済を行う発券金額や暗証番号の入力を行うボタンや確認ボタン、取消ボタンを有する。
【０２５５】
ＩＣカードリーダ２０３は、電子マネーのチャージを行う携帯電話機からキャッシュカード情報などの情報を読み取り、デビット決済が行われると決済された金額を電子マネーとして携帯電話機にチャージすることができる。
【０２５６】
レシート発行口２０４は、デビット決済が行われた場合にデビット決済の明細を示すレシートが発行される。
【０２５７】
このようにデビット端末１０６では、携帯電話機に電子マネーをチャージすることができる。
【０２５８】
電子マネー対応カード販売機２６００は、表示部２０８、金額選択ボタン２０９、プリペイドカード発券口２１０、ＩＣカードリーダ２６０１、レシート発行口２６０２を含み、デビット端末１０６でチャージされた電子マネーをもとにプリペイドカードの発券を行う。
【０２５９】
カード販売機表示部２６２１は、ＩＣカードリーダ２６０１に電子マネーがチャージされた携帯電話機がセットされると電子マネーの残高を示す画面を表示し、プリペイドカード発行の手続きまでの処理を利用者に対して指示する画面が表示される。
【０２６０】
金額選択ボタン２０９は、発券するプリペイドカードの発券金額を指定するボタンである。金額選択ボタン２０９は、表示部２０８で表示された電子マネーの金額以下の発券可能なプリペイドカードの金額ボタンのみが押下可能である。
【０２６１】
プリペイドカード発券口２１０は、金額選択ボタン２０９によって選択されたプリペイドカードを発券する。
【０２６２】
ＩＣカードリーダ２６０１は、携帯電話機から情報を読み取り、電子マネー情報を更新する。
【０２６３】
レシート発行口２６０２は、電子マネーを用いたプリペイドカードの発券における明細を示すレシートを発行する。
【０２６４】
さらに、電子マネー対応カード販売機２６００は、ＴＣ１０１に対して電子マネーの利用状況を通知し、入金登録要求を通知する。
【０２６５】
これにより、電子マネー対応カード販売機２６００は、電子マネーを用いてプリペイドカードの販売を行うことができ、電子マネーの利用状況を管理ＴＣ１０１に通知することができる。
【０２６６】
このような構成により、電子マネーのチャージを行った携帯電話機を用いてプリペイドカードの発券を行うことができ、電子マネーとしてチャージされた金額に応じたプリペイドカードの発券が行うことができる。
【０２６７】
図２７は、図２６の構成における処理遷移を示すシーケンス図である。
【０２６８】
図２７において、まず、デビット端末のＩＣカードリーダに電子マネー対応の携帯電話機がセットされ（Ｓ２７０１）、携帯電話機に記憶されたデータの読み込み処理行われる（Ｓ２７０２）。利用者により発券金額と暗証番号の入力が行われると、デビット端末から情報処理センター、金融機関に対してデビット決済を指示するデビット決済通知が送出され（Ｓ２７０３）、情報処理センターや金融機関でデビット決済が行われる（Ｓ２７０４）。デビット決済が行われるとデビット端末に対してデビット決済が完了したことを示すデビット決済完了通知が送出される（Ｓ２７０５）。デビット決済完了通知を受けてデビット端末は、デビット決済された金額を携帯電話機に電子マネーとしてチャージする（Ｓ２７０６）。チャージが完了すると、レシート発行口からレシートが発行される。このような処理遷移によって、携帯電話機にチャージすることができる。
【０２６９】
次に、電子マネーのチャージを行った携帯電話機を電子マネー対応カード販売機のＩＣカードリーダにセットすると（Ｓ２７０９）、携帯電話機から電子マネー情報が読み込まれ（Ｓ２７１０）、電子マネーの残高が表示される（Ｓ２７１１）。表示された残高に対して選択可能なカード金額ボタンを押下可能とし、利用者がプリペイドカードの発券金額のボタンを押下すると（Ｓ２７１２）、セットされた携帯電話機の残高が更新される（Ｓ２７１３）。また同時に、管理ＴＣに対して利用された電子マネーの情報を登録する通知と、プリペイドカードの入金登録通知とを送出する（Ｓ２７１４）。
【０２７０】
通知を受けた管理ＴＣは、入金登録を行い（Ｓ２７１５）、電子マネー対応カード販売機に対して入金登録が完了したことを示す入金登録完了通知を送出する（Ｓ２７１６）。入金登録完了通知を受けて取引内容の明細であるレシートを発行し（Ｓ２７１７）、プリペイドカードの発券を行う（Ｓ２７１８）。
【０２７１】
そして、ＴＣ１０１は、電子マネーの入金状況や利用状況を一括して電子マネー管理センタ１２０１に送出する（Ｓ２７１９）。
【０２７２】
なお、電子マネーのチャージを行うキャリアとして携帯電話機を例にしているが、携帯電話機に限定されることなく、ＩＣキャッシュカードにチャージするような構成にしてもよい。
【０２７３】
図２８は、電子マネーの引き落としの明細であるレシートを示す図である。
【０２７４】
図２８は、図１５の下部に示す電子マネーご利用明細書と類似するため異なる部分を中心に説明する。
【０２７５】
電子マネーご利用明細書２８００は、図１５に示した電子マネーご利用明細書に取引日時２８０１が新たに設けられており、電子マネーの取引を行った日時を示している。
【０２７６】
また、取引内容１５０７として「パチンコカード購入」が示されており、電子マネーによる取引によってパチンコカード（プリペイドカード）の購入が行われたことを示している。
【０２７７】
さらに、カード金額２８０２に新たに設けられており、購入したパチンコカードの金額が示されている。
【０２７８】
図２９は、台間機における電子マネーの取り扱いによるメモリ登録方法を示す図である。
【０２７９】
図２９において、図２９（ａ）は、台間機２２０１における同一キャリアの継続利用時の取引一覧を示す図であり、図２９（ｂ）は、図２９（ａ）に示した取引ごとの明細を示す図である。
【０２８０】
図２９（ａ）は、台間機２２０１に携帯電話機などのキャリアをセットし、セットした状態で電子マネーのチャージやパチンコ台１０２への玉貸しを行った取引の一覧を示している。この一覧は、同一のパチンコ台１０２を用いて何度も利用した場合に発行されるレシートの内容を示している。
【０２８１】
図２９（ａ）には、３つの取引内容が示されており、いずれかの取引内容を選択することにより図２９（ｂ）に示すような取引の明細が示される。
【０２８２】
図２９（ａ）には、セットされたキャリアのＩＤ２９０１、取引項目２９０２、電子マネーの残高を示す残高項目２９０３が示されている。
【０２８３】
取引項目２９０２は、取引が行われた日付、取引ごとに付与される取引番号、取引の内容を示す取引内容、取引した金額を示す取引金額からなる。
【０２８４】
図２９（ｂ）は、図２９（ａ）に示す取引の一覧からいずれかを選択することにより、選択された取引における明細を示す。
【０２８５】
図２９（ｂ）には、キャリアＩＤ２９０４、デビット決済を行ったデビット端末番号２９０５、取引詳細２９０６、利用金額合計２９０７から構成されており、取引詳細２９０６は、取引を行ったデビット端末ごとに分けられて表示される。
【０２８６】
以上の処理によって、本発明の決済システムでは、ＩＣキャッシュカードやＩＣ機能が搭載された携帯電話機などを用いてデビット決済を行うことができる。また、携帯電話機を用いた場合には、上述した実施例２と同様にデビット決済を行う発券金額や暗証番号をあらかじめ入力してデビット決済を行うことができる。
【０２８７】
これによって、携帯電話機やＩＣキャッシュカードを用いたデビット決済が行えるようになるため、遊技機などを利用するプリペイドカードの発券金額の支払いをより簡単に行うことが可能である。
【０２８８】
これは、一般的に普段持ち歩く携帯電話機でデビット決済を可能にしているので、取引内容が簡単に確認できるようになり、また明細を携帯電話機に記憶することができるのでレシート発行における紙の節約にもなる。
【０２８９】
従って、本発明を適用することにより、利用者は現金が手元に無くとも容易に施設利用が可能になり利便性が向上するほか、携帯電話機でプリペイドカードの発券金額や暗証番号を入力するため暗証番号の盗み見を防止することができ、高いセキュリティを確保できるという効果がある。
【０２９０】
さらに、遊技施設の提供を行う企業からすれば、利用者の利便性の向上によって稼働率が上昇し、利益向上が見込まれるという効果を期待することができる。
【０２９１】
本発明は、上記し、且つ図面に示す実施例に限定することなく、その要旨を変更しない範囲内で適宜変形して実施できるものである。
【０２９２】
例えば、レシート発行部によって取引の明細を示すレシートを発行する構成にしているが、明細としてレシートを発行するのではなく、携帯電話機のメモリに記憶するような構成にしてもよい。
【産業上の利用可能性】
【０２９３】
本発明は、デビット決済を行うデビット決済システムおよび方法に適用可能であり、特に、携帯電話機を用いたデビット決済が可能であり、あらかじめ携帯電話機の画面上に利用指定金額とデビット決済口座の暗証番号とを入力し、該携帯電話機をデビット決済が行える端末にセットすることで容易にデビット決済が行える。
【図面の簡単な説明】
【０２９４】
【図１】本発明に係わるデビット決済システムのシステム構成図。
【図２】本発明のデビット決済システムにおけるデビット端末、カード販売機の装置構成を示す図。
【図３】デビット端末とカード販売機の詳細を示すブロック図。
【図４】デビット端末表示部、カード販売機表示部に表示される画面の内容を示す図。
【図５】デビット決済のレシートの一例を示す図。
【図６】本発明におけるデビット決済システムの処理の流れを示すフローチャート。
【図７】本発明のデビット決済システムにおける他の利用構成を示す図。
【図８】携帯電話機を用いた暗証番号の入力を促す画面を示す図。
【図９】本発明のデビット決済システムにおいて携帯電話機に発券金額と暗証番号を入力することによりデビット決済を行えるように構成した構成図。
【図１０】図９の構成において携帯電話機に表示される画面の例を示す図。
【図１１】利用料と利用可能金額を表示する画面を示す図。
【図１２】本発明のデビット決済システムを適用して構成した実施例３におけるシステム構成図。
【図１３】電子マネー機能が搭載されたキャリアでデビット決済を行う構成をデビット端末とカード販売機を中心に説明した図。
【図１４】デビット端末表示部に表示される画面を示す図。
【図１５】電子マネー機能を持つキャリアでデビット決済と電子マネー利用を行った際のレシートの一例を示す図。
【図１６】電子マネーとしてチャージが可能なキャリアを用いてデビット決済を行った際にカード販売機の画面に表示される内容を示す図。
【図１７】プリペイドカード発券後、デビット端末の画面に表示される内容を示す図。
【図１８】図１２及び図１３に示す構成における処理の流れを示すフローチャート。
【図１９】電子マネーに対応した携帯電話機用のデビット決済アプリケーションを起動したときの画面を示す図。
【図２０】携帯電話機にチャージした電子マネーの利用遷移を示すシーケンス図。
【図２１】図２０に示した電子マネーの利用の際にデビット端末に表示される電子マネーの残高を表示する画面を示す図。
【図２２】台間機によるデビット決済システムのシステム構成を示す図。
【図２３】台間機の詳細な構造を示す図。
【図２４】台間機とパチンコ台のイメージを示す図。
【図２５】台間機を用いたデビット決済の処理の流れを示すシーケンス図。
【図２６】電子マネーを用いた遊技施設の利用におけるデビット決済のシステム構成図。
【図２７】図２６の構成における処理遷移を示すシーケンス図。
【図２８】電子マネーの引き落としの明細であるレシートを示す図。
【図２９】台間機における電子マネーの取り扱いによるメモリ登録方法を示す図。
【符号の説明】
【０２９５】
１０１      ターミナルコントローラ（ＴＣ）
１０２      パチンコ台
１０３      カード処理ユニット
１０４      カード販売機
１０５      島コントローラ
１０６      デビット端末
１０７      携帯電話機
１０８      ＩＣキャッシュカード
１０９      公衆回線網
１１０      情報処理センタ
１１１      ＣＡＦＩＳ
１１２      金融機関
２０１      表示部（デビット端末）
２０２      ボタン群
２０３      ＩＣカードリーダ
２０４      レシート発行口
２０８      表示部（カード販売機）
２０９      金額選択ボタン
２１０      プリペイドカード発券口
２１１      取消ボタン
３０１      デビット制御部
３０３      記憶部
３０４      内部操作入力部
３０８      第１通信Ｉ／Ｆ部
３０９      第２通信Ｉ／Ｆ部
３１０      発券制御部
３１４      第１通信Ｉ／Ｆ部
３１５      第２通信Ｉ／Ｆ部
【図１】
2006139476.tif 000003
【図２】
2006139476.tif 000004
【図３】
2006139476.tif 000005
【図４】
2006139476.tif 000006
【図５】
2006139476.tif 000007
【図６】
2006139476.tif 000008
【図７】
2006139476.tif 000009
【図８】
2006139476.tif 000010
【図９】
2006139476.tif 000011
【図１０】
2006139476.tif 000012
【図１１】
2006139476.tif 000013
【図１２】
2006139476.tif 000014
【図１３】
2006139476.tif 000015
【図１４】
2006139476.tif 000016
【図１５】
2006139476.tif 000017
【図１６】
2006139476.tif 000018
【図１７】
2006139476.tif 000019
【図１８】
2006139476.tif 000020
【図１９】
2006139476.tif 000021
【図２０】
2006139476.tif 000022
【図２１】
2006139476.tif 000023
【図２２】
2006139476.tif 000024
【図２３】
2006139476.tif 000025
【図２４】
2006139476.tif 000026
【図２５】
2006139476.tif 000027
【図２６】
2006139476.tif 000028
【図２７】
2006139476.tif 000029
【図２８】
2006139476.tif 000030
【図２９】
2006139476.tif 000031